(57)【特許請求の範囲】
【請求項１】
Ａ）ポリアミド１０〜９９．９４質量％、
Ｂ）第１級、第２級、第３級のアミノ基の比１／０．８／０．５〜１／１．２／０．８を有するポリエチレンイミンホモポリマー又は−コポリマー０．０５〜５質量％、
Ｃ）鉄粉末０．０１〜２０質量％、
Ｄ）更なる添加剤０〜７０質量％
を含み、
このＡ〜Ｄの質量％の合計が１００％である、
熱可塑性成形材料。
【請求項２】
成分Ｄ１）として、繊維形状又は粒子形状の添加剤１〜４５質量％を含む、請求項１記載の熱可塑性成形材料。
【請求項３】
成分Ｄ２）として、潤滑剤０．０５〜３質量％を含む、請求項１又は２記載の熱可塑性成形材料。
【請求項４】
成分Ｄ３）として、銅含有安定剤又は立体障害フェノール又はその混合物０．０５〜３質量％を含む、請求項１から３のいずれか１項記載の熱可塑性成形材料。
【請求項５】
成分Ｄ４）として、ニグロシン０．０５〜１０質量％を含む、請求項１から４のいずれか１項記載の熱可塑性成形材料。
【請求項６】
成分Ａ）が、ポリアミド６６又はポリアミド６６と他のポリアミドとの混合物から構成されている、請求項１から５のいずれか１項記載の熱可塑性成形材料。
【請求項７】
（ＡＳＴＭ  Ｄ１９２１−８９、方法Ａにより）成分Ｃ）の平均粒径ｄ50が最大４５０μｍである、請求項１から６のいずれか１項記載の熱可塑性成形材料。
【請求項８】
全ての種類の繊維、シート及び成形体の製造のための請求項１から７のいずれか１項記載の熱可塑性成形材料の使用。
【請求項９】
請求項１から７のいずれか１項記載の熱可塑性成形材料から得られる、全ての種類の繊維、シート及び成形体。
【発明の詳細な説明】
【技術分野】
【０００１】
発明の詳細な説明
本発明は、
Ａ）ポリアミド１０〜９９．９４質量％、
Ｂ）ポリエチレンイミンホモ−又は−コポリマー０．０５〜５質量％、
Ｃ）鉄粉末０．０１〜２０質量％、
Ｄ）更なる添加剤０〜７０質量％
を含み、
このＡ〜Ｄの質量％の合計が１００％である、
熱可塑性成形材料に関する。
【０００２】
さらに、本発明は、全ての種類の繊維、シート及び成形体を製造するための本発明による成形材料の使用並びにその際に得られる成形体に関する。
【０００３】
熱可塑性ポリアミド、例えばＰＡ６及びＰＡ６６はしばしば、ガラスファイバー強化された成形材料の形で、その寿命の間高められた温度に曝されている建材のための建築原材料として使用され、その際、熱酸化による損傷が生じる。知られている熱安定剤の添加により、この熱酸化による損傷の発生は、確かに延期されることができるが、しかし持続的に妨げられることはできず、このことは例えば機械的な特性値の低下の形で現れる。ポリアミドの熱老化抵抗性（ＷＡＢ）の改善は極めて所望されており、というのもこれにより、熱負荷された建材にとってより長期の寿命が達成されることができるか、又はその破損リスクが低下されることができるからである。又は、改善されたＷＡＢは、より高温での建材の使用をも可能にすることができる。
【０００４】
Kunststoff Handbuch 3. Technische Thermoplaste, 4. Polyamide, 1998 Carl Hanser Verlag Muenchen Wien, Herausgeber L. Bottenbruch, R. Binsackからは、ポリアミドでの様々な熱安定剤の使用が知られている。熱可塑性ポリマー中での超分枝したポリエチレンイミンの使用は、例えばドイツ連邦共和国特許第１００３０５５３号及びドイツ連邦共和国特許第１０２００５００５８４７号から知られている。
【０００５】
欧州特許第１０６５２３６号からは、強化されていないポリアミドが知られており、このポリアミドではポリエチレンイミン及びオリゴカルボン酸が重合の間に使用される。この記載の成形材料は改善された溶剤抵抗性を示し、しかし、このＷＡＢは改善に値する。
【０００６】
ポリアミド中の元素状鉄粉末の使用は、国際公開第２００６／０７４９１２号及び国際公開第ＷＯ２００５／００７７２７号から知られている。
【０００７】
この熱老化抵抗性は、知られている成形材料中で、特により長期の熱負荷期間にわたり、いまだに不十分である。
【０００８】
従って、本発明は、改善されたＷＡＢ及び良好な流動能並びに機械的性質（Mechanik）を有する熱可塑性ポリアミド成形材料を提供するという課題に基づく。
【０００９】
これに応じて、冒頭に定義された成形材料が見出された。好ましい実施態様は、従属請求項から取り出すことができる。
【００１０】
成分Ａ）として、本発明による成形材料は、少なくとも１種のポリアミド１０〜９９．９４質量％、好ましくは２０〜９５質量％、特に２０〜８０質量％を含む。
【００１１】
本発明による成形材料のポリアミドは一般に、ＩＳＯ３０７により２５℃で９６質量％硫酸中の０．５質量％溶液中で測定して、９０〜３５０ｍｌ／ｇ、好ましくは１１０〜２４０ｍｌ／ｇの粘度数を有する。
【００１２】
少なくとも５０００の分子量（質量平均値）を有する半結晶性又はアモルファスの樹脂（例えば米国特許公報第２０７１２５０号、第２０７１２５１号、第２１３０５２３号、第２１３０９４８号、第２２４１３２２号、第２３１２９６６号、第２５１２６０６号及び第３３９３２１０号に記載される）が好ましい。
【００１３】
これらの例は、７〜１３の環員を有するラクタムから誘導されるポリアミド、例えばポリカプロラクタム、ポリカプリルラクタム及びポリラウリンラクタム並びにジカルボン酸とジアミンとの反応によって得られるポリアミドである。
【００１４】
ジカルボン酸として、炭素原子６〜１２個、とりわけ６〜１０個を有するアルカンジカルボン酸、及び芳香族ジカルボン酸が使用可能である。ここでは、単に、アジピン酸、アゼライン酸、セバシン酸、ドデカン二酸及びテレフタル酸及び／又はイソフタル酸を酸として挙げることができる。
【００１５】
ジアミンとしては、特に、６〜１２個の、特に６〜８個の炭素原子を有するアルカンジアミン並びにｍ−キシリレンジアミン、ジ−（４−アミノフェニル）メタン、ジ−（４−アミノシクロヘキシル）メタン、２，２−ジ−（４−アミノフェニル）プロパン、２，２−ジ−（４−アミノシクロヘキシル）プロパン又は１，５−ジアミノ−２−メチルペンタンが適している。
【００１６】
好ましいポリアミドは、ポリヘキサメチレンアジピン酸アミド、ポリヘキサメチレンセバシン酸アミド及びポリカプロラクタム並びにコポリアミド６／６６であり、これは特にカプロラクタム単位５〜９５質量％の割合を有する。
【００１７】
さらに、適当なポリアミドは、例えばドイツ連邦共和国特許出願公開第１０３１３６８１号、欧州特許出願公開第１１９８４９１号及び欧州特許第９２２０６５号に記載されているように、ω−アミノアルキルニトリル、例えばアミノカプロニトリル（ＰＡ  ６）及びアジポジニトリルとヘキサメチレンジアミン（ＰＡ  ６６）とから、いわゆる直接重合によって水の存在で得ることができる。
【００１８】
さらにまた、例えば１，４−ジアミノブタンとアジピン酸とを高められた温度下で縮合させることによって得られるポリアミド（ポリアミド４，６）も挙げられる。この構造のポリアミドのための製造方法は、例えば欧州特許出願公開第３８０９４号、欧州特許出願公開第３８５８２号及び欧州特許出願公開第３９５２４号に記載されている。
【００１９】
さらに、前記のモノマーの２つ又はそれ以上の共重合によって得ることができるポリアミド、又は複数のポリアミドの混合物も適しており、その際に混合比は任意である。特に好ましくは、ポリアミド６６と他のポリアミド、特にコポリアミド６／６６との混合物である。
【００２０】
さらに、そのような部分芳香族コポリアミド、例えばＰＡ  ６／６Ｔ及びＰＡ  ６６／６Ｔが特に有利であることが判明しており、それらのトリアミン含量は０．５質量％未満、好ましくは０．３質量％未満である（欧州特許出願公開（ＥＰ−Ａ）第２９９４４４号参照）。
【００２１】
低いトリアミン含量を有する好ましい部分芳香族コポリアミドの製造は、欧州特許出願公開第１２９１９５号及び欧州特許出願公開第１２９１９６号に記載の方法により行なうことができる。
【００２２】
次のリストは、総括的なものではないが、本発明の範囲内で記載されたポリアミドＡ）及び他のポリアミドＡ）並びに存在するモノマーを含む。
ＡＢ−ポリマー：
ＰＡ４  ピロリドン
ＰＡ６  ε−カプロラクタム
ＰＡ７  エタノラクタム
ＰＡ８  カプリルラクタム
ＰＡ９  ９−アミノペラルゴン酸
ＰＡ１１  １１−アミノウンデカン酸
ＰＡ１２  ラウリンラクタム、
ＡＡ／ＢＢ−ポリマー
ＰＡ４６  テトラメチレンジアミン、アジピン酸
ＰＡ６６  ヘキサメチレンジアミン、アジピン酸
ＰＡ６９  ヘキサメチレンジアミン、アゼライン酸
ＰＡ６１０  ヘキサメチレンジアミン、セバシン酸
ＰＡ６１２  ヘキサメチレンジアミン、デカンジカルボン酸
ＰＡ６１３  ヘキサメチレンジアミン、ウンデカンジカルボン酸
ＰＡ１２１２  １，１２−ドデカンジアミン、デカンジカルボン酸、
ＰＡ１３１３  １，１３−ジアミノトリデカン、ウンデカンジカルボン酸、
ＰＡ６Ｔ  ヘキサメチレンジアミン、テレフタル酸
ＰＡ ＭＸＤ６  ｍ−キシリレンジアミン、アジピン酸
ＡＡ／ＢＢ−ポリマー
ＰＡ６Ｉ  ヘキサメチレンジアミン、イソフタル酸
ＰＡ６−３−Ｔ  トリメチルヘキサメチレンジアミン、テレフタル酸
ＰＡ６／６Ｔ  （ＰＡ６及びＰＡ６Ｔを参照）
ＰＡ６／６６  （ＰＡ６及びＰＡ６６を参照）
ＰＡ６／１２  （ＰＡ６及びＰＡ１２を参照）
ＰＡ６６／６／６１０  （ＰＡ６６、ＰＡ６及びＰＡ６１０を参照）
ＰＡ６Ｉ／６Ｔ  （ＰＡ６Ｉ及びＰＡ６Ｔを参照）
ＰＡ ＰＡＣＭ１２  ジアミノジシクロヘキシルメタン、ラウリンラクタム
ＰＡ６Ｉ／６Ｔ／ＰＡＣＭ  ＰＡ６Ｉ／６Ｔと同様＋ジアミノジシクロヘキシルメタン
ＰＡ１２／ＭＡＣＭＩ  ラウリンラクタム、ジメチルジアミノジシクロヘキシルメタン、イソフタル酸
ＰＡ１２／ＭＡＣＭＴ  ラウリンラクタム、ジメチルジアミノジシクロヘキシルメタン、テレフタル酸
ＰＡ ＰＤＡ−Ｔ  フェニレンジアミン、テレフタル酸。
【００２３】
熱可塑性成形材料は、成分Ｂ）として、本発明により、少なくとも１種のポリエチレンイミン−ホモポリマー又は−コポリマー０．０５〜５質量％を含む。好ましくは、Ｂ）の割合は、Ａ）〜Ｄ）に対して、０．１〜３質量％、特に０．１〜１質量％である。
【００２４】
ポリエチレンイミンとは、本発明の範囲においては、単独重合体も共重合体も意味すべきであり、それらは、例えばUllmann Electronic Releaseにおける見出語"Aziridine"での方法に従って又は国際公開第９４／１２５６０号に従って得られる。
【００２５】
単独重合体は、一般に、エチレンイミン（アジリジン）を、水性又は有機の溶液中で、酸を開裂する化合物、酸又はルイス酸の存在下で重合することによって得られる。かかる単独重合体は、分岐ポリマーであって、通常は、第１級、第２級及び第３級のアミノ基を、約３０％対４０％対３０％の比で含むポリマーである。それらのアミノ基の分布は、一般に、13Ｃ−ＮＭＲ分光分析法によって測定できる。これは、好ましくは１／０．８／０．５〜１／１．３／０．８、特に１／１．１／０．８〜１／１．２／０．８である。
【００２６】
コモノマーとしては、好ましくは、少なくとも２個のアミノ官能を有する化合物が使用される。好適なコモノマーとしては、例えばアルキレン基中に２〜１０個のＣ原子を有するアルキレンジアミンが挙げられ、その際、エチレンジアミン及びプロピレンジアミンが好ましい。更に適したコモノマーは、ジエチレントリアミン、トリエチレンテトラミン、テトラエチレンペンタミン、ジプロピレントリアミン、トリプロピレンテトラミン、ジヘキサメチレントリアミン、アミノプロピルエチレンジアミン及びビスアミノプロピルエチレンジアミンである。
【００２７】
ポリエチレンイミンは、通常は、１００〜３００００００の、好ましくは８００〜２００００００の平均分子量（質量平均）を有する（光散乱によって測定される）。この好ましいＭwは、９００〜５００００、特に１１００〜２５０００である。
【００２８】
さらに、架橋されたポリエチレンイミンであって、ポリエチレンイミンと、官能基として少なくとも１個のハロゲンヒドリン単位、グリシジル単位、アジリジン単位、イソシアネート単位又はハロゲン原子を有する二官能性又は多官能性の架橋剤との反応によって得られるポリエチレンイミンが適している。例としては、２〜１００個のエチレンオキシド単位及び／又はプロピレンオキシド単位を有するポリアルキレングリコールのエピクロロヒドリンもしくはビスクロロヒドリンエーテル並びにドイツ連邦共和国特許出願公開第１９９３１７２０号及び米国特許第４１４４１２３号に挙げられる化合物が挙げられる。架橋されたポリエチレンイミンの製造方法は、とりわけ上述の刊行物並びに欧州特許出願公開第８９５５２１号及び欧州特許出願公開第２５５１５号から公知である。
【００２９】
さらに、グラフトされたポリエチレンイミンが適しており、その際、グラフト剤として、ポリエチレンイミンのアミノ基又はイミノ基と反応しうる全化合物を使用できる。好適なグラフト剤及びグラフトされたポリエチレンイミンの製造方法は、例えば欧州特許出願公開第６７５９１４号から取り出すことができる。
【００３０】
同様に適したポリエチレンイミンは、本発明の意味合いにおいて、アミド化された重合体であって、通常はポリエチレンイミンと、カルボン酸、そのエステルもしくは無水物、カルボン酸アミド又はカルボン酸ハロゲン化物との反応によって得られる重合体である。ポリエチレンイミン鎖中のアミド化された窒素原子の割合に応じて、アミド化された重合体は、後に上述の架橋剤と架橋させることができる。好ましくは、その場合に、３０％までのアミノ官能がアミド化され、それにより引き続いての架橋反応のためになおも十分な第１級及び／又は第２級の窒素原子が提供される。
【００３１】
さらに、アルコキシ化されたポリエチレンイミンであって、例えばポリエチレンイミンとエチレンオキシド及び／又はプロピレンオキシドとの反応によって得られるポリエチレンイミンが適している。また、かかるアルコキシ化された重合体は、引き続き架橋可能である。
【００３２】
更なる好適な本発明によるポリエチレンイミンとしては、ヒドロキシル基を有するポリエチレンイミン及び両性のポリエチレンイミン（アニオン性基の導入）並びに通常は長鎖の炭化水素基をポリマー鎖中に導入することによって得られる親油性のポリエチレンイミンが挙げられる。かかるポリエチレンイミンの製造方法は、当業者に知られているので、これについての更なる詳細は必要とされない。
【００３３】
成分Ｃ）として、本発明による成形材料は、鉄粉末０．０１〜２０質量％、好ましくは０．０５〜１０質量％、特に０．１〜５質量％を含む。
【００３４】
鉄は、複数の同素体変態において存在する：
１．α−Ｆｅ（フェライト）は、体心立方の立方体格子を形成し、磁化可能であり、炭素をあまり溶解せず、９２８℃までの純鉄中に存在する。７７０℃（キュリー温度）では、これはその強磁特性を失い、常磁性になる；鉄は７７０〜９２８℃の温度範囲においてはβ−Ｆｅとも呼ばれる。普通の温度及び少なくとも１３０００ＭＰａの圧力では、約０．２０ｃｍ3／ｍｏｌのＶｏｌ．減少下でα−Ｆｅはいわゆるε−Ｆｅに移行し、その際、密度は７．８５から９．１（２００００ＭＰａ）に高められる。
２．γ−Ｆｅ（参照、オーステナイト）は、面心立方の立方体格子を形成し、磁化しておらず、多くの炭素を溶解し、９２８〜１３９８℃の温度範囲においてしか観察できない。
３．δ−Ｆｅは、体心立方であり、１３９８℃及び融点１５３９℃の間で存在する。
【００３５】
金属性鉄は一般的に銀白色であり、密度７．８７４（重金属）、融点１５３９℃、沸点２８８０℃；比熱（１８〜１００℃で）約０．５ｇ-1Ｋ、引張強さ２２０〜２８０Ｎ／ｍｍ2である。この値は、化学的に純粋な鉄に当てはまる。
【００３６】
鉄は、水素を用いた酸化鉄の還元により化学的に純粋な粉末に比較してより低温で、鉄ペンタカルボニルの熱分解により、Ｆｅ（ＣＯ）5→Ｆｅ＋５ＣＯに応じて１５０〜２５０℃で、極めて純粋な粉末−カルボニル鉄−として、又は塩化鉄（ＩＩ）溶液又は硫酸鉄（ＩＩ）溶液の、不溶性グラファイト又は鉄片又は鋳鉄から構成される溶解性アノードを用いた電解により得られる。水銀カソードに対する硫酸性の、硫酸鉄（ＩＩ）溶液からの析出、及び引き続くラフィネーションにより、９９．９９％の鉄が獲得される。大工業的には、鉄は、鉄鉱石、鉄スラグ、焙焼黄鉄鉱、炉口ダスト（Gichtstaub）の製錬により、及び、金属屑及び合金の鋳直し（Umschmelzen）により製造される。
【００３７】
好ましい鉄粉末Ｃ）は、最大４５０μｍ、特に２０〜２５０μｍ、特にとりわけ好ましくは３０〜１００μｍの平均粒径ｄ50を有する（ＡＳＴＭ  Ｄ１９２１−８９、方法Ａにより）。
【００３８】
この種の製品は、例えば、SCM Metal ProductsのSCM IronPowder A 131として入手できる。
【００３９】
特に良好な鉄粒子分布を達成するために、ポリマーを有するバッチを使用することができる。ポリマー、例えばポリオレフィン、ポリエステル又はポリアミドはこのために適しており、その際、好ましくはこのバッチポリマーは成分Ａ）と同じである。この鉄の質量割合はポリマー中で通常は１５〜４０質量％、好ましくは２０〜３０質量％である。
【００４０】
適したバッチ組成物は、例えば、Ciba Spezialitaetenchemie GmbHのShelfplus 02 2400として入手できる（ポリエチレンを有する２０％のバッチ、ｄ50＝３０μｍ）。
【００４１】
成分Ｄ）として、本発明による成形材料は、７０質量％まで、好ましくは５０質量％まで更なる添加剤を含むことができる。
【００４２】
繊維形状又は粒子形状の充填剤Ｄ１）として、炭素繊維、ガラス繊維、ガラス球、アモルファスケイ酸、ケイ酸カルシウム、メタケイ酸カルシウム、炭酸マグネシウム、カオリン、白亜、粉末状石英、雲母、硫酸バリウム及び長石が挙げられ、これらは１〜５０質量％、特に１〜４０質量％、好ましくは１０〜４０質量％の量で使用される。
【００４３】
好ましい繊維形状充填剤としては、炭素繊維、アラミド繊維及びチタン酸カリウム繊維が挙げられ、この場合Ｅ−ガラスであるガラス繊維は特に好ましい。このガラス繊維は、ロービング又は切断ガラス（Schnittglas）として市販の形で使用されてよい。
【００４４】
繊維形状充填剤は、熱可塑性樹脂とのより良好な相容性のためのシラン化合物で表面前処理されていてよい。
【００４５】
適当なシラン化合物は、次の一般式
【化１】
0005656865.tif 000002
で示されるようなシラン化合物であり、
前記式中、置換基は、次の意味を有する：
【化２】
0005656865.tif 000003
ｎは、２〜１０、好ましくは３〜４の整数であり、
ｍは、１〜５、好ましくは１〜２の整数であり、
ｋは、１〜３、好ましくは１の整数である。
【００４６】
好ましいシラン化合物は、アミノプロピルトリメトキシシラン、アミノブチルトリメトキシシラン、アミノプロピルトリエトキシシラン、アミノブチルトリエトキシシラン並びに置換基Ｘとしてグリシジル基を含有する相応するシランである。
【００４７】
シラン化合物は、一般に表面被覆のために（（Ｅ）に対して）０．０１〜２質量％、有利に０．０２５〜１．０質量％、特に０．０５〜０．５質量％の量で使用される。
【００４８】
針形状の鉱物質の充填剤も適当である。
【００４９】
針形状の鉱物質充填剤とは、本発明の範囲では、著しく顕著な針形状の特性を有する鉱物質充填剤を表す。例として、針形状の珪灰石が挙げられる。好ましくは、この鉱物は、８：１〜３５：１、好ましくは８：１〜１１：１のＬ／Ｄ（長さ直径）比を有する。鉱物質の充填剤は、場合によっては前記のシラン化合物で前処理されていてよいが；しかし前処理は、必ずしも必要ではない。
【００５０】
他の充填剤として、カオリン、焼成カオリン、珪灰石、タルク及び白亜、並びに、付加的に、好ましくは０．１〜１０％の量の小片形状又は針形状のナノ充填剤が挙げられる。好ましくは、これに関して、ベーマイト、ベントナイト、モンモリロナイト、バーミキュライト、ヘクトライト及びラポナイトが使用される。平板形状のナノ充填剤と有機バインダーとの良好な相容性を得るために、該平板形状のナノ充填剤は従来技術により有機変性される。小片形状又は針形状のナノ充填剤を本発明によるナノコンポジットに添加することにより、機械的強度の更なる向上がもたらされる。
【００５１】
成分Ｄ２）として、本発明による成形材料は、潤滑剤０．０５〜３質量％、好ましくは０．１〜１．５質量％、特に０．１〜１質量％を含むことができる。
【００５２】
好ましくは、１０〜４４個のＣ原子、好ましくは１２〜４４個のＣ原子を有する脂肪酸のＡｌ塩、アルカリ金属塩、アルカリ土類金属塩又はエステルもしくはアミドである。
【００５３】
該金属イオンは、好ましくはアルカリ土類金属及びＡｌであり、その際、ＣａもしくはＭｇが特に好ましい。
【００５４】
好ましい金属塩は、ステアリン酸カルシウム及びモンタン酸カルシウム並びにステアリン酸アルミニウムである。
【００５５】
また、種々の塩の混合物も使用してよく、その際、その混合比は任意である。
【００５６】
カルボン酸は、一価又は二価であってよい。例としては、ペラルゴン酸、パルミチン酸、ラウリン酸、マルガリン酸、ドデカン二酸、ベヘン酸、特に好ましくはステアリン酸、カプリン酸並びにモンタン酸（３０〜４０個のＣ原子を有する脂肪酸の混合物）が挙げられる。
【００５７】
脂肪族アルコールは、一〜四価であってよい。アルコールの例は、ｎ−ブタノール、ｎ−オクタノール、ステアリルアルコール、エチレングリコール、プロピレングリコール、ネオペンチルグリコール、ペンタエリトリットであり、この場合には、グリセリン及びペンタエリトリットが好ましい。
【００５８】
脂肪族アミンは、一〜三価であってよい。このための例は、ステアリルアミン、エチレンジアミン、プロピレンジアミン、ヘキサメチレンジアミン、ジ（６−アミノヘキシル）アミンであり、その際、エチレンジアミン及びヘキサメチレンジアミンが特に好ましい。好ましいエステル又はアミドは、相応してグリセリンジステアラート、グリセリントリステアラート、エチレンジアミンジステアラート、グリセリンモノパルミタート、グリセリントリラウラート、グリセリンモノベヘナート及びペンタエリトリットテトラステアラートである。
【００５９】
様々なエステル又はアミドの混合物又はエステルとアミドを組合せて使用してよく、この場合混合比は、任意である。
【００６０】
成分Ｄ３）として、本発明による成形材料は、０．０５〜３質量％、好ましくは０．１〜１．５質量％、特に０．１〜１質量％のＣｕ安定剤、好ましくはＣｕ−（Ｉ）−ハロゲン化物を、特にハロゲン化アルカリ金属、好ましくはＫＩとの、特に１：４の比での混合物において、又は立体障害フェノール又はその混合物を含むことができる。
【００６１】
一価の銅の塩としては、好ましくは酢酸銅（Ｉ）、塩化銅（Ｉ）、臭化銅及びヨウ化銅が該当する。それらの塩は、ポリアミドに対して、５〜５００ｐｐｍの銅の量で、好ましくは１０〜２５０ｐｐｍの銅の量で含まれている。
【００６２】
好ましい特性は、特に、銅がポリアミド中に分子的分布で存在している場合に得られる。それは、該成形材料に、ポリアミド、一価の銅の塩及びアルカリ金属ハロゲン化物を均質な固溶体の形で含有する濃縮物を添加した場合に達成される。典型的な濃縮物は、例えば７９〜９５質量％のポリアミド及び２１〜５質量％のヨウ化銅又は臭化銅とヨウ化カリウムとからの混合物からなる。均質な固溶体中の銅の濃度は、該溶液の全質量に対して、０．３〜３質量％、特に０．５〜２質量％であり、かつヨウ化銅（Ｉ）対ヨウ化カリウムのモル比は、１〜１１．５、好ましくは１〜５である。
【００６３】
前記濃縮物のために適したポリアミドは、ホモポリアミド及びコポリアミド、特にポリアミド６及びポリアミド６．６である。
【００６４】
立体障害フェノールＤ３）としては、原則的に、フェノール構造を有し、フェノール環に少なくとも１つの立体的に要求の高い基を有するあらゆる化合物が適している。
【００６５】
好ましくは、例えば式
【化３】
0005656865.tif 000004
の化合物が考慮され、
式中、以下を意味する：
Ｒ1及びＲ2は、アルキル基、置換したアルキル基又は置換したトリアゾール基、その際、基Ｒ1及びＲ2は同じか又は異なっていることができ、かつＲ3はアルキル基、置換したアルキル基、アルコキシ基、又は置換したアミノ基である。
【００６６】
前述の種類の酸化防止剤は、例えばドイツ連邦共和国特許出願公開第２７０２６６１号（米国特許出願公開第４３６０６１７号）に記載されている。
【００６７】
好ましい立体障害フェノールの更なる一群は、置換されたベンゼンカルボン酸から、特に置換されたベンゼンプロピオン酸から誘導される。
【００６８】
これらのクラスからの特に好ましい化合物は、式
【化４】
0005656865.tif 000005
［式中、Ｒ4、Ｒ5、Ｒ7及びＲ8は、互いに無関係に、Ｃ1〜Ｃ8−アルキル基を表し、前記基はそれ自体置換されていてよい（その内の少なくとも１個は、立体的に要求の高い基である）、そしてＲ6は、１〜１０個のＣ原子を有する二価の脂肪族基であって、主鎖中にＣ−Ｏ結合を有してもよい基を意味する］の化合物である。
【００６９】
前記の式に相当する好ましい化合物は、
【化５】
0005656865.tif 000006
（Ｃｉｂａ−Ｇｅｉｇｙ社のＩｒｇａｎｏｘ（登録商標）２４５）
【化６】
0005656865.tif 000007
（Ｃｉｂａ−Ｇｅｉｇｙ社のＩｒｇａｎｏｘ（登録商標）２５９）
である。
【００７０】
全体として立体障害フェノールとして次のものが例示的に挙げられる：
２，２′−メチレン−ビス−（４−メチル−６−ｔｅｒｔ−ブチルフェノール）、１，６−ヘキサンジオール−ビス［３−（３，５−ジ−ｔｅｒｔ−ブチル−４−ヒドロキシフェニル）プロピオネート］、ペンタエリトリチル−テトラキス−［３−（３，５−ジ−ｔｅｒｔ−ブチル−４−ヒドロキシフェニル）プロピオネート］、ジステアリル−３，５−ジ−ｔｅｒｔ−ブチル−４−ヒドロキシベンジルホスホネート、２，６，７−トリオキサ−１−ホスファビシクロ−［２．２．２］オクタ−４−イル−メチル−３，５−ジ−ｔｅｒｔ−ブチル−４−ヒドロキシヒドロシンナメート、３，５−ジ−ｔｅｒｔ−ブチル−４−ヒドロキシフェニル−３，５−ジステアリル−チオトリアジルアミン、２−（２′−ヒドロキシ−３′−ヒドロキシ−３′，５′−ジ−ｔｅｒｔ−ブチルフェニル）−５−クロロベンゾトリアゾール、２，６−ジ−ｔｅｒｔ−ブチル−４−ヒドロキシメチルフェノール、１，３，５−トリメチル−２，４，６−トリス−（３，５−ジ−ｔｅｒｔ−ブチル−４−ヒドロキシベンジル）−ベンゼン、４，４′−メチレン−ビス（２，６−ジ−ｔｅｒｔ−ブチルフェノール）、３，５−ジ−ｔｅｒｔ−ブチル−４−ヒドロキシベンジル−ジメチルアミン。
【００７１】
特に有効であること判明し、従って使用が好ましいのは、２，２′−メチレン−ビス−（４−メチル−６−ｔｅｒｔ−ブチルフェノール）、１，６−ヘキサンジオール−ビス−（３，５−ジ−ｔｅｒｔ−ブチル−４−ヒドロキシフェニル）−プロピオネート（Ｉｒｇａｎｏｘ（登録商標）２５９）、ペンタエリトリチル−テトラキス−［３−（３，５−ジ−ｔｅｒｔ−ブチル−４−ヒドロキシフェニル）−プロピオネート］並びにＮ，Ｎ′−ヘキサメチレン−ビス−３，５−ジ−ｔｅｒｔ−ブチル−４−ヒドロキシヒドロシンナミド（Ｉｒｇａｎｏｘ（登録商標）１０９８）並びに特に良好に適しているＣｉｂａ−Ｇｅｉｇｙ社の前記のＩｒｇａｎｏｘ（登録商標）２４５である。
【００７２】
単独で又は混合物として使用できる酸化防止剤Ｄ）は、成形材料Ａ）〜Ｄ）の全質量に対して、０．０５から３質量％までの量で、好ましくは０．１〜１．５質量％の量で、０．１〜１質量％の量で含まれている。
【００７３】
多くの場合に、１つ以下の立体障害基をフェノール性ヒドロキシ基に対してオルト位で有する立体障害フェノールが、特により長期にわたる拡散光中での貯蔵に際しての色安定性の評価に際して、特に好ましいとが判明した。
【００７４】
成分Ｄ４）として、本発明による成形材料は、ニグロシン０．０５〜５質量％、好ましくは０．１〜２質量％、特に０．２５〜１質量％を含むことができる。
【００７５】
ニグロシンとは、様々な実施態様（水溶性、脂肪溶解性、ガソリン（Sprit）溶解性）にある、一般的に、黒色又は緑色の、インジュリンと一緒に使用されるフェナジン染料（アジン染料）の群が理解され、これはウール染色及び−印刷の際に、絹の黒着色の際に、皮革、靴クリーム、ニス、プラスチック、焼き付け塗料（Einbrennlack）、インキ、及び類似物の着色のために、並びに顕微鏡染料として使用される。
【００７６】
ニグロシンを、ニトロベンゼン、アニリン及び塩酸性アニリンを金属と一緒での加熱により工業的に獲得する。鉄及びＦｅＣｌ3（ラテン語のｎｉｇｅｒの名＝黒色）。
【００７７】
成分Ｄ４）は、遊離塩基として、又は塩（例えば塩酸塩）としても使用されることができる。
【００７８】
ニグロシンの更なる詳細は、例えば、電子事典Roempp Online, Version 2.8, Thieme-Verlag Stuttgart, 2006, 見出し"Nigrosin"から取り出すことができる。
【００７９】
更なる通常の添加剤Ｄ）は、例えば２５質量％まで、好ましくは２０質量％までの量でのゴム弾性ポリマーである（しばしば、衝撃強さ改質剤、エラストマー又はゴムとも称される）。
【００８０】
この場合には、これは極めて一般的に、好ましくは次のモノマー少なくとも２つから形成されているコポリマーである：エチレン、プロピレン、ブタジエン、イソブテン、イソプレン、クロロプレン、酢酸ビニル、スチレン、アクリルニトリル及びアクリル−又はメタクリル酸エステルであってこのアルコール成分中に１〜１８個のＣ原子を有するもの。
【００８１】
この種のポリマーは、例えば、Houben-Weyl, Methoden der organischen Chemie, 14/1巻（Georg-Thieme-Verlag, Stuttgart, 1961）第３９２〜４０６頁及びCB. Bucknall, "Toughened Plastics"（Applied Science Publishers, London, 1977）によるモノグラフィに記載される。
【００８２】
以下、このようなエラストマーの若干の好ましい種類を挙げる。
【００８３】
このようなエラストマーの好ましい種類は、いわゆるエチレン−プロピレン（ＥＰＭ）又はエチレン−プロピレン−ジエン（ＥＰＤＭ）ゴムである。
【００８４】
ＥＰＭゴムは一般的に、実質的に二重結合をもはや有しないのに対して、ＥＰＤＭゴムは二重結合１〜２０個／炭素原子１００個を有していてよい。
【００８５】
ＥＰＤＭゴム用のジエンモノマーとして、例えば、共役ジエン、例えばイソプレン及びブタジエン、炭素原子５〜２５個を有する非共役ジエン、例えばペンタ−１，４−ジエン、ヘキサ−１，４−ジエン、ヘキサ−１，５−ジエン、２，５−ジメチルヘキサ−１，５−ジエン及びオクタ−１，４−ジエン、環状ジエン、例えばシクロペンタジエン、シクロヘキサジエン、シクロオクタジエン及びジシクロペンタジエン並びにアルケニルノルボルネン、例えば５−エチリデン−２−ノルボルネン、５−ブチリデン−２−ノルボルネン、２−メタリル−５−ノルボルネン、２−イソプロペニル−５−ノルボルネン及びトリシクロジエン、例えば３−メチル−トリシクロ（５．２．１．０．２．６）−３，８−デカジエン又はそれらの混合物を挙げることができる。好ましいのは、ヘキサ−１，５−ジエン、５−エチリデン−ノルボルネン及びジシクロペンタジエンである。ＥＰＤＭゴムのジエン含量は、ゴムの全質量を基準として、好ましくは０．５〜５０質量％、特に１〜８質量％である。
【００８６】
ＥＰＭゴム又はＥＰＤＭゴムは、好ましくは反応性カルボン酸又はこの誘導体でグラフトされていてもよい。この場合には、例えばアクリル酸、メタクリル酸及びこの誘導体、例えばグリシジル（メタ）アクリラート、並びに無水マレイン酸が挙げられる。
【００８７】
好ましいゴムの更なる一群は、エチレンと、アクリル酸及び／又はメタクリル酸及び／又はこれらの酸のエステルとのコポリマーである。付加的に、ゴムは、まだなおジカルボン酸、例えばマレイン酸及びフマル酸又はこれらの酸の誘導体、例えばエステル及び無水物、及び／又はエポキシ基含有モノマーを含有していてよい。前記のジカルボン酸誘導体又はエポキシ基含有モノマーは、好ましくは一般式Ｉ又はＩＩ又はＩＩＩ又はＩＶのジカルボン酸基含有モノマー又はエポキシ基含有モノマーをモノマー混合物に添加することによってゴム中に組み入れられる
【化７】
0005656865.tif 000008
［式中、Ｒ1〜Ｒ9は、水素又は１〜６個のＣ原子を有するアルキル基を表わし、ｍは、０〜２０の整数であり、ｇは、０〜１０の整数であり、ｐは、０〜５の整数である］。
【００８８】
好ましくは、基Ｒ1〜Ｒ9は水素を表し、その際にｍは０又は１を表し、かつｇは１を表す。相応する化合物は、マレイン酸、フマル酸、無水マレイン酸、アリルグリシジルエーテル及びビニルグリシジルエーテルである。
【００８９】
式Ｉ、ＩＩ及びＩＶの好ましい化合物は、マレイン酸、無水マレイン酸及びアクリル酸及び／又はメタクリル酸のエポキシ基含有エステル、例えばグリシジルアクリラート、グリシジルメタクリラート及び第三級アルコールとのエステル、例えば第三級ブチルアクリラートである。後者は確かに遊離カルボキシル基を有しないが、しかしそれらの挙動において遊離酸に近く、故に潜在性カルボキシル基を有するモノマーと称される。
【００９０】
好ましくは、コポリマーは、エチレン５０〜９８質量％、エポキシ基含有モノマー及び／又はメタクリル酸及び／又は酸無水物基含有モノマー０．１〜２０質量％並びに（メタ）アクリル酸エステルの残りの量からなる。
【００９１】
特に好ましくは、コポリマーは次のものから構成される
５０〜９８質量％、特に５５〜９５質量％のエチレン、
０．１〜４０質量％、特に０．３〜３０質量％のグリシジルアクリラート及び／又はグリシジルメタクリラート、（メタ）アクリル酸及び／又は無水マレイン酸、及び
１〜４５質量％、特に５〜４０質量％のｎ−ブチルアクリラート及び／又は２−エチルヘキシルアクリラート。
【００９２】
アクリル酸及び／又はメタクリル酸の更なる好ましいエステルは、メチル−、エチル−、プロピル−及びｉ−又はｔ−ブチルエステルである。
【００９３】
この他に、ビニルエステル及びビニルエーテルもコモノマーとして使用可能である。
【００９４】
前記エチレンコポリマーは、それ自体として知られた方法によって、好ましくは高圧及び高められた温度下でのランダム共重合によって、製造されることができる。相応する方法は一般的に知られている。
【００９５】
また、好ましいエラストマーは、乳化重合体であり、この乳化重合体の製造は、例えばBlackleyのモノグラフィ"Emulsion Polymerization"中に記載されている。使用可能な乳化剤及び触媒はそれ自体として知られている。
【００９６】
原則的に、均質に形成されたエラストマーが使用されてもよいし、シェル構造を有するエラストマーが使用されてもよい。シェル状の構造は、個々のモノマーの添加順序によって定められ、このポリマーの形態もこの添加順序によって影響を及ぼされる。
【００９７】
この場合、エラストマーのゴム部分を製造するためのモノマーとしての代替物としてだけ、アクリラート、例えばｎ−ブチルアクリラート及び２−エチルヘキシルアクリラート、相応するメタクリラート、ブタジエン及びイソプレン並びにこれらの混合物が挙げられる。前記モノマーは、更なるモノマー、例えばスチレン、アクリルニトリル、ビニルエーテル及び更なるアクリラート又はメタクリラート、例えばメチルメタクリラート、メチルアクリラート、エチルアクリラート及びプロピルアクリラートと共重合されてよい。
【００９８】
エラストマーの軟質相又はゴム相（０℃未満のガラス転移温度を有する）は、コア、外側被覆又は中間のシェル（２つより多いシェル構造を有するエラストマーの場合）であることができ；多シェルエラストマーの場合には、複数のシェルがゴム相からなっていてもよい。
【００９９】
ゴム相の他に、まだなお１つ以上の硬質成分（２０℃を上廻るガラス転移温度を有する）がエラストマーの構造に関与する場合には、このエラストマーは一般的には、主要モノマーとしてのスチレン、アクリルニトリル、メタクリルニトリル、α−メチルスチレン、ｐ−メチルスチレン、アクリル酸エステル及びメタクリル酸エステル、例えばメチルアクリラート、エチルアクリラート及びメチルメタクリラートを重合させることによって製造される。それと共に、この場合には、より少ない含量の他のコモノマーが使用されてもよい。
【０１００】
幾つかの場合に、表面上に反応性基を有するエマルションポリマーを使用することが好ましいことが分かっている。この種の基は、例えばエポキシ基、カルボキシル基、潜在性カルボキシル基、アミノ基又はアミド基並びに一般式
【化８】
0005656865.tif 000009
で示されるモノマーを共用することによって導入されてよい官能基であり、
式中、置換基は、次の意味を有することができる：
Ｒ10は、水素又はＣ1〜Ｃ4−アルキル基を表し、
Ｒ11は、水素、Ｃ1〜Ｃ8−アルキル基又はアリール基、特にフェニルを表し、
Ｒ12は、水素、Ｃ1〜Ｃ10−アルキル−、Ｃ6〜Ｃ12−アリール基、又は−ＯＲ13、
Ｒ13は、Ｃ1〜Ｃ8−アルキル−又はＣ6〜Ｃ12−アリール基を表し、前記基は場合によっては、Ｏ−又はＮ−含有基により置換されていてよい、
Ｘは、化学結合、Ｃ1〜Ｃ10−アルキレン基又はＣ6〜Ｃ12−アリーレン基又は
【化９】
0005656865.tif 000010
Ｙは、Ｏ−Ｚ又はＮＨ−Ｚを表し、そして
Ｚは、Ｃ1〜Ｃ10−アルキレン−又はＣ6〜Ｃ12−アリーレン基を表す。
【０１０１】
また、欧州特許出願公開第２０８１８７号に記載されているグラフトモノマーは、表面への反応基の導入に適している。
【０１０２】
他の例としては、更にアクリルアミド、メタクリルアミド及びアクリル酸又はメタクリル酸の置換されたエステル、例えば（Ｎ−ｔ−ブチルアミノ）−エチルメタクリレート、（Ｎ，Ｎ−ジメチルアミノ）エチルアクリレート、（Ｎ，Ｎ−ジメチルアミノ）−メチルアクリレート及び（Ｎ，Ｎ−ジエチルアミノ）エチルアクリレートが挙げられる。
【０１０３】
さらに、ゴム相の粒子は、架橋されていてもよい。架橋剤として作用するモノマーは、例えば、ブタ−１，３−ジエン、ジビニルベンゼン、ジアリルフタラート及びジヒドロジシクロペンタジエニルアクリラート並びに欧州特許出願公開（ＥＰ−Ａ）第５０２６５号に記載された化合物である。
【０１０４】
さらに、いわゆるグラフト架橋性モノマー（graft-linking monomers）、即ち重合の際に異なる速度で反応する、２つ以上の重合可能な二重結合を有するモノマーが使用されてもよい。好ましくは、少なくとも１つの反応基が残りのモノマーとほぼ同じ速度で重合し、一方で、他の反応基（又は複数の反応基）が例えば明らかによりいっそうゆっくりと重合する化合物が使用される。異なる重合速度は、ゴム中に特定割合の不飽和二重結合を必然的に伴う。引き続き、このようなゴム上に更なる相がグラフトされる場合には、ゴム中に存在する二重結合は、少なくとも部分的にグラフトモノマーと、化学結合の形成下に反応し、即ちグラフトされた相は、少なくとも部分的に化学結合を介してグラフト主鎖と結合している。
【０１０５】
そのようなグラフト架橋性モノマーの例は、アリル基含有モノマー、特にエチレン系不飽和カルボン酸のアリルエステル、例えばアリルアクリラート、アリルメタクリラート、ジアリルマレアート、ジアリルフマラート、ジアリルイタコナート又はこれらのジカルボン酸の相応するモノアリル化合物である。この他に、多数の更なる適したグラフト架橋性モノマーが存在し；この場合、詳細については、例えば米国特許（US−PS）第４１４８８４６号を参照されたい。
【０１０６】
一般的に、耐衝撃性改良性ポリマー中のこれらの架橋性モノマーの割合は、耐衝撃性改良性ポリマーを基準として、５質量％まで、好ましくは３質量％以下である。
【０１０７】
以下に、好ましい幾つかのエマルションポリマーを挙げることができる。この場合には、最初に１つのコア及び少なくとも１つの外側シェルを有するグラフトポリマーを挙げることができ、このグラフトポリマーは、次の構造を有する：
【表１】
0005656865.tif 000011
【０１０８】
多シェル状構造を有するグラフトポリマーの代わりに、ブタ−１，３−ジエン、イソプレン及びｎ−ブチルアクリラート又はこれらのコポリマーからなる均質な、即ち１つのシェルを有するエラストマーが使用されてもよい。また、前記生成物は、架橋性モノマー又は反応基を有するモノマーを併用することによって製造されてよい。
【０１０９】
好ましい乳化重合体の例は、ｎ−ブチルアクリラート／（メタ）アクリル酸コポリマー、ｎ−ブチルアクリラート／グリシジルアクリラートコポリマー又はｎ−ブチルアクリラート／グリシジルメタクリラートコポリマー、ｎ−ブチルアクリラートからなるか又はブタジエンをベースとする内側のコアと、前記コポリマー及びエチレンと反応基を供給するコモノマーとのコポリマーからなる外側被覆とを有するグラフトポリマーである。
【０１１０】
この記載されたエラストマーは、別の常用の方法により、例えば懸濁重合によって製造されてもよい。
【０１１１】
ドイツ連邦共和国特許出願公開第３７２５５７６号、欧州特許出願公開第２３５６９０号、ドイツ連邦共和国特許出願公開第３８００６０３号及び欧州特許出願公開第３１９２９０号に記載されているようなシリコーンゴムは、同様に好ましい。
【０１１２】
もちろん、前記のゴムタイプの混合物も使用されることができる。
【０１１３】
本発明による熱可塑性成形材料は、成分Ｄ）として常用の加工助剤、例えば安定剤、酸化遅延剤、熱分解に抗する剤、紫外光による分解に抗する剤、滑剤及び離型剤、着色剤、例えば染料及び顔料、核形成剤、可塑剤、難燃剤等を含有してよい。
【０１１４】
酸化遅延剤及び熱安定剤のための例としては、熱可塑性成形材料の質量に対して１質量％までの濃度での立体障害フェノール及び／又はホスフィット及びアミン（例えばＴＡＤ）、ヒドロキノン、芳香族２級アミン、例えばジフェニルアミン、前記グループの種々の置換された代表例及びこれらの混合物が挙げられる。
【０１１５】
一般に成形材料に対して２質量％までの量で使用されるＵＶ安定剤としては、種々の置換されたレゾルシン、サリチレート、ベンゾトリアゾール及びベンゾフェノンが挙げられる。
【０１１６】
無機顔料、例えば二酸化チタン、ウルトラマリンブルー、酸化鉄及びカーボンブラック、さらに有機顔料、例えばフタロシアニン、キナクリドン、ペリレン並びに染料、例えばアントラキノンは、着色剤として添加されてよい。
【０１１７】
核形成剤としては、ナトリウムフェニルホスフィナート、酸化アルミニウム、二酸化ケイ素並びに好ましくはタルクが使用されてよい。
【０１１８】
本発明による熱可塑性成形材料は、自体公知の方法により製造されてよく、前記方法においては、出発成分は通常の混合装置、例えばスクリュー押出機、ブラベンダーミル又はバンバリーミル中で混合され、引き続き押出される。この押出後、この押出物は冷却され、かつ破砕されてよい。また、個々の成分は前混合されてもよく、次に残りの出発材料は、個々に及び／又は同様に混合されて添加されてよい。混合温度は、通常は、２３０〜３２０℃である。
【０１１９】
更なる好ましい作業形式により、成分Ｂ）〜Ｃ）並びに場合によってはＤ）はプレポリマーと混合され、調製（konfektionieren）され、かつ造粒されてよい。得られた顆粒は、引き続き、固相で不活性ガス下で連続的又は非連続的に成分Ａ）の融点未満の温度で所望の粘度になるまで縮合される。
【０１２０】
本発明による熱可塑性成形材料は、同時の良好な機械的性質での良好な加工性、並びに、著しく改善された結合接合部強度及び熱安定性により優れている。
【０１２１】
本発明による熱可塑性成形材料は、全ての種類の繊維、シート及び成形体の製造に適している。以下に、幾つかの例を挙げる：シリンダヘッドカバー、オートバイカバー、吸気管、給気冷却器キャップ、プラグコネクタ、ギヤーホイール、冷却ファンホイール、冷却水タンク。
【０１２２】
Ｅ／Ｅ領域において、流動性が改善されたポリアミドを用いて、コネクタ、コネクタ部材、プラグコネクタ、ワイヤハーネスコンポーネント、スイッチ支持部、スイッチ支持部コンポーネント、三次元射出成形スイッチ支持部、電気接続エレメント、メカトロニクスコンポーネントを製造できる。
【０１２３】
自動車室内では、ダッシュボード、ステアリングコラムスイッチ、シート部、ヘッドレスト、センタコンソール、ギヤコンポーネント及びドアモジュールのために使用することができ、自動車室外では、ドアノブ、外部ミラーコンポーネント、ワイパーコンポーネント、ワイパー保護ケーシング、装飾グリル（Ziergitter）、ルーフレール、サンルーフフレーム（Schiebendachrahmen）、エンジンカバー、シリンダヘッドカバー、吸気管（特に吸気マニホルド）、ワイパー並びにボディ外側部のために使用することができる。
【０１２４】
台所領域及び家庭領域のために、流動性が改善されたポリアミドは、台所用品のコンポーネント、例えばフライ器（Frituse）、アイロン、ボタンの製造のため、並びに園芸−余暇領域では、例えば灌漑システム又は園芸用品のためのコンポーネント及びドアノブの製造のために使用することができる。
【０１２５】
実施例
以下の成分を使用する：
成分Ａ／１
９６質量％の硫酸中の０．５質量％の溶液中で２５℃でＩＳＯ３０７に従った測定した粘度数ＶＺ１４８ｍｌ／ｇを有するポリアミド６（ポリカプロラクタム）（BASF SEのUltramid（登録商標） A27が使用された）。
成分Ａ／２
ＶＺ１７６ｍｌ／ｇを有するＰＡ６／６６（８０：２０）（Ultramid（登録商標） C31 -01）
【０１２６】
成分Ｂ）ポリエチレンイミン
【表２】
0005656865.tif 000012
Lupasol（登録商標）＝BASF SEの登録商標
第１級／第２級／第３級アミンの比を、13Ｃ−ＮＭＲ分光学を用いて測定した。
【０１２７】
成分Ｃ）
Ciba Spezialitaetenchemie GmbHのShelfplus 02 2400（ポリエチレン中２０％のＦｅ−粉末−バッチ、ｄ50＝３０μｍ）。
【０１２８】
成分Ｄ／１
ガラス繊維
成分Ｄ／２
モンタン酸カルシウム
成分Ｄ／３
比１：４でのＣｕＩ／ＫＩ（ＰＡ６中２０％のバッチ）
成分Ｄ／４
ニグロシンを有する、４０％のＰＡ６マスターバッチ
成分Ｄ／５
０．７５質量％、ＭＳＡでグラフトされた、エチレン−プロピレン−コポリマー（ＭＦＲ：（２．１６ｋｇ／２３０℃）、３ｇ／１０分  ＡＳＴＭ Ｄ１２３８）。
【０１２９】
この成形材料をＺＳＫ３０で１０ｋｇ／ｈの流量及び約２６０℃の表面温度プロファイルで製造した。
【０１３０】
以下の測定を実施した：
ＩＳＯ５２７に応じた引張試験、機械的な特性値、強制循環空気炉（Umluftofen）中での１６０〜２１０℃での熱貯蔵前及び後
ＶＺ：ｃ＝５ｇ／ｌ、９６％の硫酸中、ＩＳＯ３０７による。
ＭＶＲ：２７５℃、５ｋｇ、４分間、ＩＳＯ１１３３
流れスパイラル（Fliessspiral）：２８０℃／７０℃、１０００ｂａｒ、２分間。
【０１３１】
この衝撃強さａk（ノッチ無し）を、２３℃でＩＳＯ１７９−２／１ｅＵに応じて測定した。
【０１３２】
この成形材料の組成及び測定結果は、第１表〜第４表から取り出すことができる。
【０１３３】
【表３】
0005656865.tif 000013
【０１３４】
【表４】
0005656865.tif 000014
【０１３５】
【表５】
0005656865.tif 000015
【０１３６】
【表６】
0005656865.tif 000016